(57)【要約】【課題】  本発明は、サウナ入浴の際に少なくとも身体の一部にまとうことにより、発汗を促進するサウナ用着衣を提供することを目的とするものであり、更に詳しくは、非常に衛生的で取り扱い性に優れ、しかも使用の際における安全性にも考慮した新規なサウナ用着衣を提供することを目的とする。【解決手段】  サウナ入浴の際に少なくとも身体の一部にまとい、発汗を促進するための着衣であって、該着衣は、難吸水性の布地で形成されてなることを特徴とするサウナ用着衣。【選択図】  図２
2006342468.tif 000002
【特許請求の範囲】
【請求項１】
サウナ入浴の際に少なくとも身体の一部にまとい、発汗を促進するための着衣であって、該着衣は、難吸水性の布地で形成されてなることを特徴とするサウナ用着衣。
【請求項２】
難吸水性の布地が、布基材に非吸水性材料の被膜をコーティングしたものである請求項１に記載のサウナ用着衣。
【請求項３】
難吸水性の布地が、非吸水性繊維からなる織物である請求項１に記載のサウナ用着衣。
【請求項４】
布地には、更に、防水性ないし撥水性が付与されてなる請求項１ないし３のいずれか１項に記載のサウナ用着衣。
【請求項５】
着衣が一部に開放部を有する袋状であり、前記開放部に相対する位置に、襟刳りが設けられてなる請求項１ないし４のいずれか１項に記載のサウナ用着衣。
【請求項６】
更に、該襟刳りを挟んで二つの袖口が形成されてなる請求項５に記載のサウナ用着衣。
【請求項７】
着衣が偏平袋状である請求項５又は６に記載のサウナ用着衣。
【請求項８】
着衣が身体の上半身部を覆うものである請求項１ないし７のいずれか１項に記載のサウナ用着衣。
【請求項９】
吸水性の布地からなるインナーが組み合わされてなる請求項１ないし８のいずれか１項に記載のサウナ用着衣。
【発明の詳細な説明】
【技術分野】
【０００１】
本発明は、サウナ入浴の際に少なくとも身体の一部にまとい、発汗を促進するためのサウナ用着衣に関する。
【背景技術】
【０００２】
体を温め、発汗を促すことにより、血行促進及び新陳代謝が高まり、免疫力が向上したり、疲労回復に役立ったりすることが明らかになっており、このため、サウナ入浴による健康の維持促進が注目されてきている。
【０００３】
しかしながら、サウナにおいて充分な発汗を得るには、少なくとも１０分〜１５分程度の入浴時間が必要であり、又、免疫力向上などの効果をより一層高めるためには、サウナ入浴と冷水浴若しくは冷水シャワーを交互に数回行う必要があり、これより、サウナ入浴による健康の維持促進は非常に時間を要するものであった。
【０００４】
韓国式サウナの一種である汗蒸幕（ハンジュンマク）においては、ムシロ（筵）のようなシート状のものを被って入浴することにより発汗作用を促進しているが、該ムシロは水分を吸収しやすく、汗などの体液や水分を含んだままで放置しておくと、カビや雑菌が繁殖し易く、非常に不衛生な状態になるため、使用後の速やかな洗浄、乾燥、衛生管理などの頓雑な作業が必要となる。
【発明の開示】
【発明が解決しようとする課題】
【０００５】
しかしながら、水分を吸収したムシロは、乾燥するまでに非常に時間がかかり、又、一旦繁殖したカビや雑菌を完全に除去することは非常に困難であり、数回程度の短期間の使用で廃棄処分せざるを得ない場合が多い。
【０００６】
又、簡単且つ安価な方法で、遠赤外線サウナの遠赤外線効果を更に強め、入浴者の体皮膚に遠赤外線を接触又は体表近距離から当てて温熱効果を向上させるとともに、入浴者の健康増進及び美肌効果を向上すべく、トルマリンの微粉末を混入した水溶性糊を生地に塗りつけることを特徴とする遠赤外線サウナ用着衣が提案されている（例えば、特許文献１。）。
【０００７】
【特許文献１】特開平１１−２００１１１号公報
【０００８】
しかしながら、上記特許文献１に記載の発明は、水溶性の糊としてコンニャク糊や海草から作った糊を使用するものであり、該水溶性の糊には雑菌やカビが繁殖し易く、明らかに衛生面を考慮したものではなかった。
【０００９】
そこで、本発明者は、このような問題を解決すべく鋭意検討を重ねた結果、サウナ入浴の際に少なくとも身体の一部にまとい、発汗を促進するための着衣であって、該着衣は、難吸水性の布地で形成されてなることを特徴とする本発明のサウナ用着衣を完成するに至ったのである。
【００１０】
即ち、本発明者は、サウナ入浴の際に少なくとも身体の一部に着衣をまとえば、該着衣による保温効果が生じ、短時間で、著しい発汗が生じる点に着目し、特に、この着衣につき、難吸水性の布地で形成すれば、汗などの体液や水分が染み込み難く、又、垢などの老廃物が付着しても、流水などによる簡単な水洗いで簡単に洗い落とすことができる上、洗浄後は、速やかに乾燥し、カビや雑菌などが繁殖し難い非常に衛生的なものになるとの知見を得たのである。
【００１１】
本発明は、上記知見に基づき完成されたものであり、非常に衛生的で取り扱い性に優れ、サウナ入浴の際に少なくとも身体の一部にまとうことにより、発汗を促進する新規なサウナ用着衣を提供することを目的とする。
【課題を解決するための手段】
【００１２】
以上の課題を解決する手段である本発明のサウナ用着衣は、サウナ入浴の際に少なくとも身体の一部にまとい、発汗を促進するための着衣であって、該着衣は、難吸水性の布地で形成されてなることを特徴とする。
以下、本発明のサウナ用着衣について詳細に説明する。
【００１３】
本発明のサウナ用着衣は、サウナ入浴の際に少なくとも身体の一部に着衣をまとい、該着衣による保温効果を利用することにより、発汗を促進するものである。
【００１４】
そして、本発明のサウナ用着衣においては、特に、難吸水性の布地で形成しているから、汗などの体液や水分が染み込み難く、又、垢などの老廃物が付着しても、流水などによる簡単な水洗いで簡単に洗い落とすことができる上、洗浄後は、速やかに乾燥し、カビや雑菌などが繁殖し難い非常に衛生的なものになるのである。
【００１５】
本発明において、難吸水性の布地とは、サウナ用着衣としての使用中に汗や水分を殆んど吸収・膨潤せず、風乾するだけでも速やかに乾燥する性質を有する布地のことをいい、更に詳しくは、水中に一定時間（１時間程度）浸漬しても、水分の吸収による自重の変化（重量変化）が殆んど無い（０〜＋１０％程度、好ましくは０〜＋５％程度、更に好ましくは０〜＋３％程度）布地のことをいい、合成樹脂性シートや、布基材に非吸水性材料の被膜をコーティングしたもの、又は、非吸水性繊維からなる織物などが一般的に用いられる。
【００１６】
前記合成樹脂性シートは、薄く、柔軟で、しかも安価である点において優れ、具体的に例えば、ポリエチレン、ポリプロピレン、ポリエステル、ポリアミド、ポリスチレン、ポリビニルアルコール等を延伸などの手段を用いてフィルム状ないしシート状に加工したもの挙げることができるが、合成樹脂性シートは、一旦、傷や折り目がつくと、その位置から裂け易くなり、繰り返し使用の観点からは好ましくない。
【００１７】
そこで、本発明のサウナ用着衣においては、布基材に非吸水性材料の被膜をコーティングしたもの、又は、非吸水性繊維からなる織物を前記難吸水性の布地として用いることが好ましい。
【００１８】
具体的には、前記布基材に非吸水性材料の被膜をコーティングしたものとしては、織物、編物、レース、タオル、不織布などの天然繊維及び／又は人造繊維からなる布基材に、ポリエチレン、ポリプロピレン、ポリエステル、ポリアミド、ポリスチレン、ポリビニルアルコール等の熱可塑性樹脂をコーティングしたものやアルミニウムなどの金属を蒸着などの手段によりコーティングしたものを挙げることができる。
【００１９】
又、非吸水性繊維からなる織物としては、ナイロンに代表されるポリアミド系繊維、テトロン、テリレン及びデークロン等のポリエステル系繊維、オーロン、エクスラン、ボンネルカシミロン及びカネカロン等のポリアクリル系繊維、その他、ビニロン等のポリビニルアルコール系繊維やバイレン等のポリプロピレン系繊維などの人造繊維（合成繊維）を適宜選択して紡糸し、これを織機により薄い織物状に形成したものを挙げることができる。
【００２０】
なお、前記難吸水性の布地の厚さとしては、薄く、柔軟であれば特に限定されるものではないが、概ね６〜１００μｍ程度が一般的である。
【００２１】
そして、本発明のサウナ用着衣においては、更に、布地における難吸水性を向上するために、更に、防水性ないし撥水性を付与することが好ましい。
【００２２】
特に、非吸水性繊維からなる織物については、多少の水分が織物中の網目構造に保持されることがあるため、更に、防水性ないし撥水性を付与することが好ましい。
【００２３】
ここで、防水性の付与とは、布地に対して水分が浸透することを防ぐための処理を行うことをいい、一方、撥水性の付与とは、布地表面に接触した水分が速やかにはじかれるような処理を行うことをいう。
【００２４】
本発明において、布地に対し、防水性ないし撥水性を付与する手段としては、公知の手段を適宜採用することができ、特に限定されるものではないが、具体的に例えば、布地の表面層に防水剤ないし撥水剤を浸漬、塗布、スプレーなどの手段を用いて塗工する方法などを挙げることができる。
【００２５】
又、この際用いられる前記防水剤ないし撥水剤の例としては、ワックス系、合成樹脂系、アクリル系、パラフィン系、フッソ系、シリコーン系などを挙げることができ、これらは、使用に際して、単独もしくは２種以上混合して用いてもよく、又、他の塗工薬品を混合して用いてもよいのである。
【００２６】
本発明のサウナ用着衣は、難吸水性の布地で形成されたものであれば、その形状としては特に限定されるものではなく、通常の着衣として認識されているもの、例えば、本体に襟刳り及び二本の袖が設けられた洋服のような形状のものに留まらず、単に体の適宜箇所に巻きつけて使用する一枚布のようなものも含まれるのである。
【００２７】
しかしながら、洋服のような形状のものや単に体の適宜箇所に巻きつけて使用する一枚布のような、あまりにも体に密着するような形状のサウナ用着衣は、汗などの水分を介してべったりと体にへばりつくため使用感が悪くなる。
【００２８】
又、サウナ入浴後に、冷水浴若しくは冷水シャワーを浴びる際などにおいては、べったりと体にへばりついたサウナ用着衣を速やかに脱ぐことが困難となる。
【００２９】
更に、体とサウナ用着衣の間にある程度の空間が生じないと、保温効果が小さくなる。
【００３０】
そこで、本発明のサウナ用着衣においては、該着衣の形状として、一部に開放部を有する袋状とし、更に、前記開放部に相対する位置に襟刳りを設けたものを採用することが好ましい。
【００３１】
即ち、一部に開放部を有する袋状で、前記開放部に相対する位置に襟刳りが設けられたサウナ用着衣は、着た際に、前記開放部が比較的余裕のある裾周りとなるため、体とサウナ用着衣の間にある程度の空間が常に得られ、良好な保温効果が得られる上、着脱が容易になり、使用感も向上するのである。
【００３２】
この点につき、本発明のサウナ用着衣において更に好ましい袋状の形状としては、寸胴ないしは開放部に向かう末広がり状のものが挙げられる。
【００３３】
なお、袋状といっても、本発明のサウナ用着衣に対して、切れ目や穴などを入れることを妨げるものではなく、例えば、該サウナ用着衣に対して、保温性を調節するための通気穴や切り返しなどを設けたり、襟刳りや後述する袖口（脇下）に切り込みを設けてその開放状態を調節できるようにしたり、或いは、該サウナ用着衣の前身頃や後見頃が適宜開く、いわゆる前開きや後開きにして着脱を容易にしたりすることは任意であることは言うまでもない。
【００３４】
又、サウナ用着衣に対して適宜設ける前記切れ目や穴及び前記開放部などは、面状ファスナーやファスナー、ホック、ボタン、ひもなどを介して開けたり閉めたり、その開き加減を適宜調節したりできるように構成することが好ましい。
【００３５】
更に、本発明のサウナ用着衣においては、前記襟刳りを挟む二つの袖口（腕を出すための穴）を形成することが好ましい。
【００３６】
これは、サウナのような床が濡れている場所は、滑ったり転んだりし易く、サウナ用着衣内に腕が拘束されている状態は、咄嗟に手が出ないため、非常に危険だからである。
【００３７】
そこで、本発明のサウナ用着衣においては、前記襟刳りを挟む位置に二つの袖口を形成することにより、サウナ用着衣から常に腕を出せる状態とし、安全性を向上することが好ましいのである。
【００３８】
なお、本発明のサウナ用着衣においては、前記袖口に対し適宜袖を設けることも可能であるが、細長い袖は、汗などの水分を介してべったりと腕にへばりつくため使用感が悪くなり、又、速やかな着脱が困難となる。
【００３９】
そこで、本発明のサウナ用着衣においては、袖口がそのまま開放された状態、即ち、袖を設けない方がむしろ好ましいのであり、仮に袖を設ける場合にあっては、半袖程度の長さで、袖周りが広いものとすることが好ましいのである。
【００４０】
ところで、本発明のサウナ用着衣は、使用後に洗浄、乾燥した後に、折り畳んで保管することが一般的な取扱となる。
【００４１】
そこで、本発明のサウナ用着衣においては、簡単に折り畳めて、かさばらない形状とすべく、着衣を偏平袋状とすることが好ましい。
【００４２】
ここで、偏平袋状とは、二枚のほぼ同型のシートを重ねあわせ、その周囲を綴じたような形状の袋状のもののことをいい、折り畳んでもかさばらないため、保管・運搬に適するのである。
【００４３】
なお、前記偏平袋状の正面視の形状については、三角形、丸型、楕円型など、特に限定されるものではないが、特に、正面視、正方形、長方形、台形等の略四角形のものがより一層折り畳み易いため好ましい。
【００４４】
又、サウナ用着衣を正面視略四角形状の偏平袋状とする場合においては、その横幅を、７０〜１３０ｃｍ程度とすることが一般的であり、この程度の幅にすれば、開放部が比較的余裕のある裾周りとなり、体とサウナ用着衣の間にある程度の空間が常に得られ、良好な保温効果が得られる上、着脱が容易になり、使用感も向上するので好ましい。
【００４５】
又、本発明のサウナ用着衣は、身体の上半身部を覆うものとすることが好ましい。
【００４６】
この理由は、サウナ用着衣に脚部が覆われている状態で発汗が進むと、脚部とサウナ用着衣が汗などの水分を介してべったりとへばりつき、歩行動作を制限し、転倒する危険性があるからである。
【００４７】
そこで、本発明のサウナ用着衣においては、安全性確保の観点から、身体の上半身部を覆うものとすることが好ましいのであり、本発明において、この「身体の上半身部を覆う」とは、「脚部を露出する」の意味であり、一般的には、サウナ用着衣を着た際に、裾の最下端が膝小僧から５ｃｍ程度上となるようにその長さを決定することが好ましく、更に、裾の最下端が臀部ないし腰部あたりとなるように決定することが好ましい。
【００４８】
なお、使用者の性別や年齢の違いに応じて、サウナ用着衣の大きさを適宜決定することは当然であり、又、サウナを利用する者が殆んど成人であることを鑑みて、通常の体格（身長１５０〜１８０ｃｍ程度）の者が着用すれば、サウナ用着衣の裾の最下端が、だいたい上述のあたりとなるように、その長さを６０〜９０ｃｍ程度にして、いわゆるフリーサイズのサウナ用着衣として設定することも可能である。
【００４９】
ところで、前述のように、本発明のサウナ用着衣の形状を、一部に開放部を有する袋状で、しかも前記開放部に相対する位置に襟刳りが設けられたものとすると、体とサウナ用着衣の間にある程度の空間が常に得られ、使用感が向上するのであるが、このような形状としても、特に、首から胸及び／又は首から背中にかけてのベタツキがどうしても生じる。
【００５０】
そこで、本発明のサウナ用着衣においては、より一層使用感を向上させるために、吸水性の布地からなるインナーを組合せて使用することが好ましい。
【００５１】
この吸水性の布地からなるインナーとしては、主として首から胸及び／又は首から背中にかけての汗を好適に吸い取り、体とサウナ用着衣とのベタツキ感を軽減するものであれば、その形状や素材としては特に限定されるものではなく、具体的に例えば、タオル地や不織布、織布などの吸水性の布地で形成された、エプロン、前掛け、或いはゼッケン状のものを挙げることができる。
【００５２】
そして、本発明において前記インナーは、通常、サウナ用着衣と体の間に介在させて使用される。
【００５３】
なお、この吸水性の布地からなるインナーは、本発明のサウナ用着衣と組み合わせて使用するものであり、本発明のサウナ用着衣にインナーを縫合などの手段により固定しても良いのであるが、サウナ用着衣にインナーを組み合わせて使用するかしないかは、使用者が適宜決定するところであり、又、吸水性の布地からなるインナーが固定されている状態のサウナ用着衣にあっては、迅速な洗浄、乾燥が困難となる。
【００５４】
そのため、本発明においては、サウナ用着衣とインナーとを別部材として構成することが好ましく、所望によりサウナ用着衣にインナーを固定して取り付ける必要がある場合にあっては、面状ファスナーやファスナー、ホック、ボタン、ひもなどを介して適宜取り外せるように構成することが好ましい。
【発明の効果】
【００５５】
本発明は、前記構成を有し、サウナ入浴の際に少なくとも身体の一部に着衣をまとい、該着衣による保温効果を利用することにより、発汗を促進する新規なサウナ用着衣である。
【００５６】
そして、本発明のサウナ用着衣においては、特に、難吸水性の布地で形成しているから、汗などの体液や水分が染み込み難く、又、垢などの老廃物が付着しても、流水などによる簡単な水洗いで簡単に洗い落とすことができる上、洗浄後は、速やかに乾燥し、カビや雑菌などが繁殖し難い非常に衛生的なものになるのである。
【発明を実施するための最良の形態】
【００５７】
以下、本発明の実施例を説明するが、本発明はこの実施例に限定されるものではない。
【実施例１】
【００５８】
図１は、実施例１に係る本発明のサウナ用着衣１を示す正面図である。
【００５９】
このサウナ用着衣１は、一辺に開放部１１を有する、正面視略四角形状の偏平袋状（横幅１１５ｃｍ、長さ８０ｃｍ）であり、前記開放部１１に相対する位置に、襟刳り１２が設けられるとともに、該襟刳り１２を挟んで二つの袖口１３（１３ａ、１３ｂ）が形成されてなるものである。
【００６０】
特に、このサウナ用着衣１は、難吸水性の布地で形成されてなり、本実施例においては、この難吸水性の布地として、非吸水性繊維であるナイロン繊維を紡糸し、これを織機にて織物として形成したものを用いた。
【００６１】
なお、図２は、実施例１に係るサウナ用着衣１を着用している状態を示す図であり、使用者は、襟刳り１２から首を出し、両方の袖口１３から両腕を出した状態で着衣することになり、両手が自由に使えることから、不意に転倒した場合にも、咄嗟に手をつくことができるのである。
【００６２】
又、サウナ用着衣の裾（開放部１１）は、使用者の臀部辺りを覆う程度の長さとなっており、このため、歩行動作にほとんど制限を与えることがないのである。
【実施例２】
【００６３】
難吸水性の布地として、綿織物の布地に、ポリエチレン樹脂をコーティングしたものを用いたこと以外は、実施例１と同様にして、実施例２に係る本発明のサウナ用着衣を得た。
【実施例３】
【００６４】
布地の裏面及び表面に対し、シリコーン系の防水剤をまんべんなくスプレー塗工したこと以外は、実施例１と同様にして、実施例３に係る本発明のサウナ用着衣を得た。
【実施例４】
【００６５】
図３は、本発明のサウナ用着衣１と組み合わせて使用されるインナー２であり、本実施例においては、前記実施例１で示したサウナ用着衣と組み合わせて用いた。
【００６６】
このインナー５は、略長方形の吸水性の布地（綿織物）を２枚つなげてその中心に襟刳２２を設けたゼッケン状の形状を有するものである。
【００６７】
なお、図４は、実施例４に係るサウナ用着衣１をインナー２と共に着用している状態を、サウナ用着衣１を透過状態にして図示したものである。
【比較例】
【００６８】
布地として綿織物を用いたこと以外は、実施例１と同様にして、比較例に係るサウナ用着衣を得た。
【００６９】
＜比較試験＞
成人男性及び女性３０人を無作為に５人ずつ６つのグループ（Ａ〜Ｆ）に分け、グループＡには実施例１に係るサウナ用着衣、グループＢには実施例２に係るサウナ用着衣、グループＣには実施例３に係るサウナ用着衣、グループＤには実施例４に係るサウナ用着衣（インナーと共に着衣）、グループＥには比較例に係るサウナ用着衣を着てもらいサウナに入浴してもらった。
【００７０】
なお、グループＦにあっては、何も着用しないままサウナに入浴してもらった。
【００７１】
サウナ入浴３分経過後には、サウナ用着衣をまとったグループＡ〜Ｅのすべての者において著しい発汗が確認されたが、何も着用しないままサウナに入浴したグループＦにあっては、サウナ入浴５分経過した後にも僅かな発汗しか認められなかった。
【００７２】
これより、サウナ用着衣による発汗促進作用が認められた。
【００７３】
又、インナーと共にサウナ用着衣を着てサウナに入浴したグループＤにあっては、首から胸及び首から背中にかけての汗が良好に吸収され、非常に使用感が良かったことが認められた。
【００７４】
又、試験終了後、当該試験に供したサウナ用着衣（実施例４のものを除く。）を水洗し、天日乾燥（天候晴れ、気温２５度、湿度５０％程度）させたところ、実施例１〜３に係るサウナ用着衣については、実施例３→実施例２→実施例１の順で、それぞれ１０分以内ですべて完全に乾燥したが、比較例に係るサウナ用着衣については、３０分経過した後も湿ったままの状態であった。
【００７５】
これより、本発明のサウナ用着衣の洗浄、乾燥作業の簡便さ、即ち、取扱性の簡便さが確認された。
【図面の簡単な説明】
【００７６】
【図１】図１は、実施例に係る本発明のサウナ用着衣を示す模式図である。
【図２】図２は、その使用状態を示す模式図である。
【図３】図３は、本発明のサウナ用着衣に組み合わせて使用されるインナーを示す模式図である。
【図４】図４は、その使用状態を示す模式図である。
【符号の説明】
【００７７】
１  サウナ用着衣
２  インナー
【図１】
2006342468.tif 000003
【図２】
2006342468.tif 000004
【図３】
2006342468.tif 000005
【図４】
2006342468.tif 000006